(57)【特許請求の範囲】
【請求項１】
前後両方の上端に耳部を有する軒樋の切断に使用する軒樋切断治具であって、底壁部と前壁部と後壁部よりなり、内周面が軒樋の外周面と略同一形状に形成され、軒樋の外側に嵌着自在である治具本体を有し、治具本体の前壁部と後壁部の上側に、前壁部本体内側と後壁部本体内側から分岐し、先端が水平内向きに延び且つ先端下方に耳部押さえ用突条が治具本体幅方向に沿って設けられた耳部押さえ片をそれぞれ有し、これら耳部押さえ片の先端に、指押し用平面部を有する指押し片がそれぞれ立設され、前壁部側と後壁部側の耳部押さえ片と指押し片がそれぞれ前壁部本体と後壁部本体との分岐部分を支点として弾性を持たせて取り付けられていることを特徴とする軒樋切断治具。
【請求項２】
指押し片の指押し用平面部が傾斜面となっていることを特徴とする請求項１に記載の軒樋切断治具。
【発明の詳細な説明】
【技術分野】
【０００１】
本願発明は、軒樋切断治具に関するものである。
【背景技術】
【０００２】
従来より、軒樋の長手方向の任意位置で軒樋を切断するには、軒樋の長手方向の任意位置に軒樋切断治具を位置決めして取り付け、軒樋を切断する切断具の切断刃を軒樋切断治具に設けた切断ガイド部にガイドさせて行われている（例えば、特許文献１）。
【０００３】
特許文献１に記載の軒樋切断治具を、軒樋に取り付けた状態で図３（ａ）、（ｂ）にそれぞれ正面図および平面図で示す。同図において、５１は軒樋切断治具、５２は軒樋である。
【０００４】
軒樋５２は、底壁部５３と前壁部５４と後壁部５５よりなる断面略Ｕ字状の軒樋本体５６を有し、前壁部５４および後壁部５５の上端にはそれぞれ耳部５７、５８が設けられている。
【０００５】
軒樋切断治具５１は、底壁部５９と前壁部６０と後壁部６１よりなり、軒樋５２の外周面と略同一形状の内周面を有する治具本体６２と、軒樋５２の耳部５７、５８を把持する一対の耳把持部６３、６４と、治具本体６２の一方の側縁外方に沿って形成された切断ガイド部６５と、図４に示す弾性クリップ具６６とからなる。切断ガイド部６５は、切断具の切断刃のガイド当て面６７を有している。また、切断ガイド部６５の一方の耳把持部６３は軒樋５２の内方まで延長されて、摘み６８が形成されている。弾性クリップ具６６は、ばね弾性を有する金属片が折り曲げられて形成され、内部空間を押し広げた状態で軒樋５２の耳部５７と軒樋切断治具５１の耳把持部６３とを挟持する。
【０００６】
上記の軒樋切断治具５１を使用して軒樋５２を切断するには、軒樋５２の切断しようとする位置に、軒樋切断治具５１の切断ガイド部６５のガイド当て面６７がくるように治具本体６２を取り付ける。治具本体６２を取り付けるには、耳部５８に耳把持部６４を把持させ、治具本体６２を軒樋５２の外周面に沿うように被せて行き、耳部５７に耳把持部６３を把持させる。このとき切断ガイド部６５の摘み６８を摘んで軒樋切断治具５１を押し拡げるようにして嵌合させる。
【０００７】
そして、図４に示す弾性クリップ具６６を使用して、例えば、軒樋切断治具５１の耳把持部６３に軒樋の耳部５７を把持させた状態で、弾性クリップ具６６により挟持する。挟持した状態を図５に正面図で示す。
【特許文献１】特開２００５−３２４４１２号公報
【発明の開示】
【発明が解決しようとする課題】
【０００８】
しかしながら、上記公報に記載された軒樋切断治具５１では、切断時に軒樋切断治具５１を軒樋５２に嵌合させる手法を採用しているため、軒樋切断治具５１自体がある程度弾性を有する柔らかな材料で形成されていなければならず、また、軒樋５２の一方の耳部５７を軒樋切断治具５１の耳把持部６３で把持した後、別途用意した弾性クリップ具６６を用いて両者を挟持することにより、軒樋５２と軒樋切断治具５１を堅固に取り付ける必要があった。すなわち、軒樋５２と軒樋切断治具５１を堅固に取り付けるための特別な補助具が必要であった。
【０００９】
一方、このような特別な補助具を用いない場合には、軒樋切断治具５１を構成する材料として軒樋５２の耳部５７、５８を確実に強く把持できるような材料を用いる必要があるが、そのような材料を用いると軒樋切断治具５１を軒樋５２の所定位置に取り付けるため嵌合の手法を用いることが困難となり、軒樋５２の一方の端部から軒樋切断治具５１をスライドして所定位置に位置決めする手法などを用いることとなる。軒樋切断治具５１をスライドして取り付ける手法では、切断後に軒樋切断治具５１を外すときに軒樋５２の表面を傷つける恐れがあった。また、軒樋本体５６の寸法バラツキによっては、軒樋切断治具５１を軒樋５２に取り付けたときに、取付状態がゆるく切断中に軒樋切断治具５１が動いてしまうという問題があった。
【００１０】
そこで、本願発明は、以上の通りの背景からなされたものであり、軒樋への取り付けのための特別な補助具を用いることなく、軒樋への取り付け、取り外しを簡単に行うことができ、しかも軒樋寸法にバラツキがあってもそれを吸収して、確実に取り付けて切断作業を行うことができる軒樋切断治具を提供することを課題とする。
【課題を解決するための手段】
【００１１】
本願発明の軒樋切断治具は、上記課題を解決するため、第１には、前後両方の上端に耳部を有する軒樋の切断に使用するものであって、底壁部と前壁部と後壁部よりなり、内周面が軒樋の外周面と略同一形状に形成され、軒樋の外側に嵌着自在である治具本体を有し、治具本体の前壁部と後壁部の上側に、前壁部本体内側と後壁部本体内側から分岐し、先端が水平内向きに延び且つ先端下方に耳部押さえ用突条が治具本体幅方向に沿って設けられた耳部押さえ片をそれぞれ有し、これら耳部押さえ片の先端に、指押し用平面部を有する指押し片がそれぞれ立設され、前壁部側と後壁部側の耳部押さえ片と指押し片がそれぞれ前壁部本体と後壁部本体との分岐部分を支点として弾性を持たせて取り付けられていることを特徴とする。
【００１２】
また、第２には、上記第１の発明において、指押し片の指押し用平面部が傾斜面となっていることを特徴とする。
【発明の効果】
【００１３】
本願請求項１の発明によれば、治具本体の前壁部と後壁部の上側に、前壁部本体内側と後壁部本体内側から分岐し、先端が水平内向きに延び且つ先端下方に耳部押さえ用突条が治具本体幅方向に沿って設けられた耳部押さえ片をそれぞれ有し、これら耳部押さえ片の先端に、指押し用平面部を有する指押し片がそれぞれ立設され、前壁部側と後壁部側の耳部押さえ片と指押し片がそれぞれ前壁部本体と後壁部本体との分岐部分を支点として弾性を持たせて取り付けたので、軒樋切断治具を軒樋に取り付ける時には耳部押さえ片と指押し片の弾性により容易に嵌合させることができる上、軒樋寸法のバラツキを吸収してゆるみなく確実に取り付けが行われた状態で軒樋切断治具が動くことなく切断作業を行うことができ、切断後には指押し片の指押し用平面部を指で押すことにより容易に軒樋切断治具を取り外すことが可能になる。
【００１４】
また、指押し片と耳部押さえ片が有する弾性により、軒樋切断治具を軒樋に取り付ける際にガイドの役割を行い、スムーズにその取付を行うことができ、前後いずれの耳部側においても軒樋切断治具の取り付け取り外しが可能になる。
【００１５】
本願請求項２の発明によれば、指押し片の指押し用平面部が傾斜面となっているので、軒樋切断治具の軒樋への取り付けがよりスムーズに行えるようになる。
【発明を実施するための最良の形態】
【００１６】
本願発明は上記のとおりの特徴を持つものであるが、以下にその実施の形態について説明する。
【００１７】
図１および図２は本願発明の一実施形態に係る軒樋切断治具を示す正面図および斜視図である。本実施形態の軒樋切断治具１は、前後両方の上端に耳部を有する軒樋の切断に使用するものである。この軒樋切断治具１は、平板状の底壁部２と前壁部３と後壁部４よりなる治具本体５を有する。治具本体５の内周面は軒樋の外周面と略同一形状に形成され、前耳部係止部６と後耳部係止部７が設けられている。また治具本体５の両側縁には切断ガイド部８が立設されており、そのガイド当て面９は鋸や電動丸鋸、チェーンソーなどの切断具の切断刃をガイドするようになっている。治具本体５の前壁部３と後壁部４の外周は底壁部２の端部と前壁部３、後壁部４の端部を結んだ形状に形成されており、肉厚を均一にするため肉盗み部１０、１１が治具本体５の前壁部３と後壁部４の対向方向に設けられている。
【００１８】
前壁部３の上方には前壁部本体３Ａから耳部押さえ片１２の一部を構成する縦向き片１３が略垂直方向に分岐しており、連結部１４を介して横向き片１５が水平方向内方、すなわち軒樋に臨む方向に延設されている。この横向き片１５の先端下方には軒樋の前耳部を押さえる耳部押さえ用突条１６が治具本体５の幅方向にわたって設けられている。また、横向き片１５の先端上方には、傾斜面となっている指押し用平面部１７を有する指押し片１８が図示のように傾斜して立設されている。この耳部押さえ片１２と指押し片１８は、前壁部本体３Ａの分岐部位Ｐを支点として弾性を持って設けられている。
【００１９】
また、後壁部４の上方には後壁部本体４Ａから耳部押さえ片１９を構成する横向き片２０が分岐しており、この横向き片２０の先端下方には軒樋の後耳部を押さえる耳部押さえ用突条２１が治具本体５の幅方向にわたって設けられている。また、横向き片２０の先端上方には、若干傾斜面となっている指押し用平面部２２を有する指押し片２３が図示のように立設されている。この耳部押さえ片１９と指押し片２３は、前壁部本体４Ａの分岐部位Ｑを支点として弾性を持って設けられている。
【００２０】
なお、軒樋切断治具１には、指押し片１８、２３が弾性により移動できるように空間部２４、２５が設けてある。
【００２１】
本実施形態の軒樋切断治具１を構成する材料としては、所期の目的を達成するものであれば特に制約されることはないが、耳部押さえ片１２と指押し片１８、耳部押さえ片１９と指押し片２３が弾性を持って設けられる可撓性を有する材料、例えば塩化ビニル樹脂、ＡＢＳ樹脂のような可撓性合成樹脂材料を用いることができる。
【００２２】
本実施形態の軒樋切断治具１を用いて軒樋を切断する場合、軒樋切断治具１を所定位置に位置決めして軒樋に嵌合させて取り付ける。その際、指押し片１８、２３の指押し用平面部１７、２２は傾斜面となっており、また耳部押さえ片１２と指押し片１８、耳部押さえ片１９と指押し片２３は、前壁部本体３Ａ、後壁部本体４Ａとの分岐部分Ｐ、Ｑを支点として弾性を持って設けられているので、指押し用平面部１７、２２がガイド傾斜面としての役割を行い、スムーズに軒樋への取り付けを行うことができる。
【００２３】
また、軒樋切断治具１を軒樋に嵌合させて取り付けたときに、耳部押さえ片１２、１９が弾性を持って設けられているので、軒樋の寸法にバラツキがあってもそのバラツキをほどよく吸収することができる。さらに、軒樋の切断後に軒樋切断治具１を取り外す時には、指押し片１８、２３のいずれか一方を指で押すことによりその弾性を利用して堅固な嵌合状態が解除され、容易に取り外しが可能になる。
【００２４】
このように本実施形態の軒樋切断治具１によれば、軒樋への取り付けのための特別な補助具を用いることなく、軒樋への取り付け、取り外しを容易に行うことができ、しかも軒樋寸法にバラツキがあってもそれを吸収して、確実に取り付けて切断作業を行うことができる。
【００２５】
上記実施形態の軒樋切断治具１では、切断ガイド部８が治具本体５の両端に設けてあるので、使用者のきき腕に応じていずれかを選択して利用することができる。
【００２６】
上記実施形態では前耳側と後耳側の両方の耳部押さえ片１２、１９と指押し片１８、２３に弾性を持たせているので、いずれを利用しても容易に取り付け取り外しが可能になる。
【００２７】
また、上記実施形態では、切断ガイド部８のガイド当て面９で切断具の切断刃をガイドしたが、本願発明によれば、本出願人が先に提案した特開２００５−１６１１５号公報に記載したような態様での使用も可能である。
【図面の簡単な説明】
【００２８】
【図１】本願発明の一実施形態に係る軒樋切断治具を示す正面図である。
【図２】同上実施形態に係る軒樋切断治具を示す斜視図である。
【図３】従来の軒樋切断治具を示す図である。
【図４】従来の軒樋切断治具に用いる弾性クリップ具を示す図である。
【図５】従来の軒樋切断治具の耳把持部を軒樋の耳部に把持した状態で弾性クリップ具により挟持した状態を示す図である。
【符号の説明】
【００２９】
１    軒樋切断治具
２    底壁部
３    前壁部
４    後壁部
５    治具本体
６    前耳部係止部
７    後耳部係止部
８    切断ガイド部
９    ガイド当て面
１２、１９    耳部押さえ片
１６、２１    耳部押さえ用突条
１７、２２    指押し用平面部
１８、２３    指押し片
【図１】
0004702161.tif 000002
【図２】
0004702161.tif 000003
【図３】
0004702161.tif 000004
【図４】
0004702161.tif 000005
【図５】
0004702161.tif 000006